(57)【特許請求の範囲】
【請求項１】
光通過方向に交差する方向に直進移動する複数の第１の光量調節羽根と、
前記光通過方向に交差する面内で回動する複数の第２の光量調節羽根と、を備え、
前記複数の第１の光量調節羽根は、対向配置されて直進移動し、
前記複数の第１の光量調節羽根と前記複数の第２の光量調節羽根とを環状に重ね合わせて形成される多角形の光通過開口を拡開させると、
前記光通過開口のうち、前記複数の第１の光量調節羽根の移動方向と交差する方向の両端側において、前記複数の第２の光量調節羽根の屈曲点または変曲点が光通過開口の縁部に含まれるように移動することによって、前記光通過開口の形状に辺または角部の数を増やして変形させ、前記光通過開口の形状が多角形から円形に近づくことを特徴とする光量調節装置。
【請求項２】
前記複数の第１の光量調節羽根及び前記複数の第２の光量調節羽根を収容する筐体と、
前記第１の光量調節羽根及び前記第２の光量調節羽根のうちの少なくとも１つの羽根から形成される前記筐体の内部空間を区切って複数の羽根室を形成する羽根室形成部材とを備え、
前記筐体の内壁には、前記羽根室形成部材に接して前記羽根室形成部材の移動を補助する凸部が設けられていることを特徴とする請求項１に記載の光量調節装置。
【請求項３】
前記光通過開口が拡開する方向に前記複数の第２の光量調節羽根を回動させて、前記光通過開口を形成する縁部に円弧部分を形成することを特徴とする請求項１に記載の光量調節装置。
【請求項４】
前記光通過開口が拡開する方向に前記複数の第１の光量調節羽根を直進移動させるのに伴って前記複数の第２の光量調節羽根を回動させて前記複数の第２の光量調節羽根の屈曲点または変曲点が光通過開口の縁部に含まれるように移動することによって、前記光通過開口の形状を辺または角部の数を増やして多角形から円形に近づけた後に、さらに前記複数の第１の光量調節羽根のうち少なくともいずれか一つの光量調節羽根の屈曲点または変曲点が光通過開口の縁部に含まれるように移動することによって、前記光通過開口の形状に辺または角部の数を増やすことを特徴とする請求項１に記載の光量調節装置。
【請求項５】
前記光通過開口が拡開するに伴って前記光通過開口における角部の数は前記光通過開口が拡開するに伴って偶数個づつ増加することを特徴とする請求項１に記載の光量調節装置。
【請求項６】
前記第１の光量調節羽根及び前記第２の光量調節羽根を駆動する駆動アームが設けられたベース部材を更に備え、
前記ベース部材は、光が透過する開口部を有し、
前記駆動アームは、前記開口部から離れて位置する軸周りにおいて回動し、
前記ベース部材は、前記駆動アームに駆動される前記第２の光量調節羽根の回転中心軸を有することを特徴とする請求項１に記載の光量調節装置。
【請求項７】
複数の前記第２の光量調節羽根を備え、
前記回転中心軸は、前記複数の前記第２の光量調節羽根の各々に設けられた回転中心孔に対して連通することを特徴とする請求項６に記載の光量調節装置。
【請求項８】
前記第１の光量調節羽根及び前記第２の光量調節羽根の少なくとも何れか一方で円弧状部分を含む前記光通過開口を形成することを特徴とする請求項１に記載の光量調節装置。
【請求項９】
請求項１〜８のいずれか一項に記載の光量調節装置を備えたことを特徴とする光学機器。
【発明の詳細な説明】
【技術分野】
【０００１】  本発明は、カメラや交換レンズ等の光学機器等に搭載され、絞り装置等とも称される光量調節装置に関する。
【背景技術】
【０００２】  上記のような光量調節装置（絞り装置）の性能は、光学機器を用いて撮影される画像の画質に影響を与え、特に絞り羽根によって形成される実際に光が通過する絞り開口の形状（絞り開口形状）は、いわゆるボケやゴーストの形状を変化させる。すなわち、絞り開口形状が円形に近ければ、ボケやゴーストの形状も円形となるため、自然な画質が得られるが、絞り開口形状が円形とは大きく異なる四角形や扁平な形状であると、ボケやゴーストもそれと同様の形状を持って現れ、不自然な画質となる。【０００３】  このように円形とは大きく異なる絞り開口形状は、直動する２枚の絞り羽根によって絞り開口を形成する場合に生じ易い。このため、特許文献１には、直動する絞り羽根を４枚用いて絞り開口を大きくすると開口形状が四角形の開口形状から角の数が増えて四角形よりも円形に近い多角形の絞り開口形状を形成する絞り装置が開示されている。【０００４】  また、特許文献２で知られる虹彩絞りを使用する光量調整装置は、直進絞り羽根と揺動絞り羽根との間にスペーサが介在することで、直進絞り羽根と揺動絞り羽根の干渉を防止し、揺動絞り羽根の円滑な揺動が阻害されることを防止していた。
【先行技術文献】
【特許文献】
【０００５】
【特許文献１】特開２０１２−７８５５６号公報
【特許文献２】特開２０１０−２０４６９３号公報
【発明の概要】
【発明が解決しようとする課題】
【０００６】  しかしながら、特許文献１にて開示された絞り装置のような構成では、光通過開口の形状が直動する絞り羽根のみで決定するため、光通過開口を所望の開口形状とするのが非常に難しい。【０００７】  また、特許文献２の装置のように、虹彩絞りを使用する光量調整装置では、複数枚の絞り羽根を使用するため、各々の絞り羽根の移動姿勢を保つことが難しいという問題があった。【０００８】  本発明は、光通過開口を所望の形状とすることができる光量調節装置、およびこれを備えた光学機器を提供する。
【課題を解決するための手段】
【００１０】
本発明によれば、光通過方向に交差する方向に直進移動する複数の第１の光量調節羽根と、前記光通過方向に交差する面内で回動する複数の第２の光量調節羽根と、を備え、前記複数の第１の光量調節羽根は、対向配置されて直進移動し、前記複数の第１の光量調節羽根と前記複数の第２の光量調節羽根とを環状に重ね合わせて形成される多角形の光通過開口を拡開させると、前記光通過開口のうち、前記複数の第１の光量調節羽根の移動方向と交差する方向の両端側において、前記複数の第２の光量調節羽根の屈曲点または変曲点が光通過開口の縁部に含まれるように移動することによって、前記光通過開口の形状に辺または角部の数を増やして変形させ、前記光通過開口の形状が多角形から円形に近づくことを特徴とする光量調節装置が提供される。
【００１２】
また、本発明によれば、上記光量調節装置を備えた光学機器が提供される。
【発明の効果】
【００１５】
本発明によれば、光通過方向に交差する方向に直進移動する第１の絞り羽根と光通過方向に交差する面内で回動する第２の絞り羽根との組み合わせによって、光通過開口を所望の形状とすることができる。
【図面の簡単な説明】
【００１７】
【図１】本発明の実施例１である絞り装置の分解斜視図。
【図２】実施例１の絞り装置の斜視図。
【図３】実施例１の絞り開口の正面図。
【図４】実施例１の第１の絞り羽根の正面図。
【図５】実施例１の第２の絞り羽根の正面図。
【図６】実施例１の絞り装置に用いられるリニア絞り羽根の正面図。
【図７】実施例１の絞り装置に用いられる回転絞り羽根の正面図。
【図８】実施例１の絞り装置にて形成される絞り開口形状を示す正面図。
【図９】本発明の実施例２である絞り装置の分解斜視図。
【図１０】本発明の実施例３である絞り装置の断面図。
【図１１】実施例３の地板とケース部材それぞれの凸部と絞り羽根との位置関係図。
【図１２】本発明の実施例である光学機器の概略図。
【発明を実施するための形態】
【００１８】  以下、本発明の実施例について図面を参照しながら説明する。
【００１９】  （実施例１）  図１には、本発明の実施例１である光量調節装置としての絞り装置を分解して示している。また、図２の２Ａ、図６〜８は該絞り装置を、光量調節羽根としての絞り羽根４〜９により形成される絞り開口を光が通過する方向（光軸方向）から見て示している。なお、図２では、図１中に示すカバー板１０を取り除いた状態を示している。さらに、図２の２Ｂには、図２の２Ａに示した絞り装置を斜めから見て示している。また、これらの図において絞り装置の上下方向であって長手方向が、「光通過方向に交差する方向に絞り羽根が直進する方向」に相当し、以下の説明では光軸交差方向という。また、これらの図における絞り装置の左右方向を幅方向という。
【００２０】  これらの図において、絞り羽根４〜９は、絞り装置の外装を構成する筐体内に収容されるが、この筐体の一部を構成するベース部材としての地板２には、光を通過させる固定開口２ｂが形成されている。地板２は、プレス加工や樹脂成形等によって製作されている。地板２の一方面側には、軸（２ｃ、２ｄ、２ｅ，２ｆ）が形成されている。軸２ｄは、リニア絞り羽根６のガイドピンとしての機能と、回転絞り羽根４と回転絞り羽根７の回転中心軸の機能を有している。軸２ｅは、リニア絞り羽根９のガイドピンとしての機能と、回転絞り羽根５と回転絞り羽根８の回転中心軸の機能を有している。
【００２１】  該地板２の外面となる他方面（光軸方向一方の面）のうち、固定開口２ｂから下方向に離れた位置には、絞り駆動部１が取り付けられている。絞り駆動部１は、例えば、不図示のロータマグネットと、該ロータマグネットと一体で回転する出力軸１ａと、通電されてロータマグネットを回転させる磁力を発生する不図示のコイルにより構成される電磁駆動モータである。また、ステッピングモータであってもよい。
【００２２】  絞り駆動部１の出力軸１ａは、地板２を貫通して地板２の内面側に突出している。そして、該出力軸１ａには、駆動レバーとしての駆動アーム３が圧入によって取り付けられている。駆動アーム３は、固定開口２ｂから下方向に離れて位置する軸回りにおいて、出力軸１ａとともに所定の角度範囲で回動する。駆動アーム３は、樹脂成形等によって製作されている。なお、出力軸１ａと駆動アーム３とを一体形成することも可能である。
【００２３】  駆動アーム３は、出力軸１ａの位置を挟んだ両側の先端に、絞り羽根４〜９を駆動するための伝達部としての羽根駆動ピン３ｉ，３ｊを有する。羽根駆動ピン３ｉは、回転絞り羽根４、回転絞り羽根８およびリニア絞り羽根９の３枚の絞り羽根に係合している。また、羽根駆動ピン３ｊは、リニア絞り羽根６、回転絞り羽根５および回転絞り羽根７の３枚の絞り羽根に係合している。
【００２４】  なお、絞り駆動部１と駆動アーム３を地板２の外面側に配置し、駆動アーム３に形成された羽根駆動ピン３ｉ，３ｊを、地板２を貫通させて該地板２の内面側に突出させるようにしてもよい。
【００２５】
このように、本実施例では、絞り駆動部１の出力軸１ａに直接取り付けられた（または一体形成された）１つの駆動アーム３に２つの羽根駆動ピン３ｉ，３ｊを設け、同一（共通）の羽根駆動ピン３ｉに、１枚のリニア絞り羽根（第１の絞り羽根）９と２枚の回転絞り羽根（第２の絞り羽根）４，８を係合させている。また、他の同一（共通）の羽根駆動ピン３ｊに、１枚のリニア絞り羽根（第１の絞り羽根）６と２枚の回転絞り羽根（第２の絞り羽根）５，７を係合させている。そして、このように複数（２つ）の羽根駆動ピン３ｉ，３ｊのそれぞれに３枚ずつの絞り羽根が係合した駆動アーム３を回動させることで、２枚のリニア絞り羽根６、９を光軸交差方向に移動させ、かつ４枚の回転絞り羽根４，５，７，８を回転させて、これら６枚の絞り羽根４〜９によって円形に近い多角形状の絞り開口を形成するとともにそのサイズ（径）を変化させる。
【００２６】  図３の３Ａに絞り開口が閉じきりの状態、３Ｂは小絞り状態、３Ｃ、３Ｄに絞り開口が略８角形で大きさの異なる状態、３Ｅに絞り開口が略１０角形、３Ｆに絞り開口が略１２角形となっている状態をそれぞれ示す。
【００２７】
図３の３Ａ〜３Ｆ及び図８の８Ａ〜８Ｆに示すように、光通過方向に交差する方向に直進移動するリニア絞り羽根（第１の光量調節羽根）６，９と光通過方向に交差する面内で回動する回転絞り羽根（第２の光量調節羽根）４，５，７，８とを環状に重ね合わせて形成される光通過開口を大きく拡開すると光通過開口の形状が多角形から円形に近づく。リニア絞り羽根６，９でおおよその絞り開口の大きさと形状を形成し、リニア絞り羽根６，９の移動方向と交差する方向の両端を回転絞り羽根４，５，７，８とで絞り開口を形成することによって、固定開口２ｂの直径に近い大きな径の絞り開口の場合でも所望の開口形状を形成することができる。より詳細には、リニア絞り羽根６，９の直進動作に加えて回転絞り羽根４，５，７，８の回動動作を適用することで、絞り開口を開閉する過程において、少ない可動範囲でも所望の絞り開口形状を実現でき、しかも絞り開口を拡開するにつれて絞り開口の形状を多角形から円形に近づけることが可能となる。特に、本実施例では、光通過開口が拡開する方向にリニア絞り羽根６，９を直進移動させるのに伴って回転絞り羽根４，５，７，８をそれぞれ回動させることで、光通過開口の形状を多角形から円形に素早く近づけることが可能となる。また、リニア絞り羽根６，９と回転絞り羽根４，５，７，８とで開口形状を形成することによって、絞り羽根４〜９が少ない移動量で、絞り開口の辺の数を増やして開口形状を多角形から円形に近づけることができる。さらに、本実施例では、リニア絞り羽根６，９の直進動作に加えて回転絞り羽根４，５，７，８の回動動作を併用しているため、リニア絞り羽根６，９の直進動作を少なくできる。すなわち、回転絞り羽根４，５，７，８の回動動作を併用することで、リニア絞り羽根６，９の可動範囲を少なくしてリニア絞り羽根６，９の退避スペース（収容スペース）を削減できることから、絞り装置の小型化を図ることができる。つまり、本実施例の絞り装置は、直進移動する羽根だけで光通過開口を作る構造と比べて、装置の小型化に非常に有利でありながら、絞り開口を開閉する過程において所望の開口形状を作り易く、しかも絞り開口の形状を素早く多角形から円形に近づけることが可能となることから、高性能な光量調整の構造を実現できるものである。
【００２８】  また、以上の構成を採用することで、絞り開口の周囲に配置された駆動リング（環板）を回転させ、該駆動リングにおける互いに異なる駆動軸部によってリニア絞り羽根や回転絞り羽根を駆動する場合に比べて、絞り装置の小型化に有利でありながらも、所望の形状の絞り開口を形成することができる。
【００２９】  なお、リニア絞り羽根６，９が光軸交差方向に直進移動するとは、リニア絞り羽根６，９が光軸交差方向に直線移動（平行移動）する場合だけでなく、幅方向に揺動したりシフトしたりしながら光軸交差方向に移動する場合も含む意味である。
【００３０】  カバー板１０は、地板２との間に絞り羽根４〜９が移動する空間を形成するように地板２に取り付けられるカバー板である。カバー板１０は、地板２に形成された固定開口２ｂに対応する開口１０ｂを有する。カバー板１０は、プレス加工や樹脂成形等により製作されている。カバー板１０の内面（地板側の面）には、絞り羽根４〜９との摺動抵抗を低減するためのレール（例えば高さの異なる凸部）が形成されている。
【００３１】  本実施例の絞り装置は、前述したように駆動アーム３を回動させることで絞り開口径を変化させることができ、さらに絞り開口を完全に閉じる（閉じきる）ことができる。このため、本実施例の絞り装置は、シャッタ動作を行うことも可能である。つまり、本実施例の絞り装置は、絞りシャッタ装置として使用することもできる。
【００３２】  図４の４Ａにリニア絞り羽根６、図４の４Ｂにリニア絞り羽根９を示す。図５の５Ａに回転絞り羽根４、図５の５Ｂに回転絞り羽根５、図５の５Ｃに回転絞り羽根７、図５の５Ｄに回転絞り羽根８を示す。図６は、６Ａの閉じきり状態から６Ｂの中間絞り状態を経て、６Ｃの開放状態のときのリニア絞り羽根６，９の位置を示した図である。図７は、７Ａの閉じきり状態から７Ｂの中間絞り状態を経て、図７Ｃの開放状態のときの回転絞り羽根５，６，７，８の位置を示した図である。
【００３３】  回転絞り羽根４は、駆動カム溝部４ｉにて、駆動アーム３の羽根駆動ピン３ｉと摺動可能に係合している。また、回転絞り羽根４に形成された回転中心孔部４ｄには、地板２に形成された回転中心部（回転中心軸部）としての回転中心ピン２ｄが回転可能に嵌合している。
【００３４】  駆動アーム３が所定の角度範囲で回動すると、回転絞り羽根４は、図５の５Ａ、図７の７Ａ〜７Ｃに示すように、駆動カム溝部４ｉが羽根駆動ピン３ｉから駆動力を受け、回転中心孔部４ｄが係合した回転中心ピン２ｄを中心として光軸に交差する面内で回転（旋回）する。この回転の速さは、駆動カム溝部４ｉの形状によって調整可能である。また、駆動カム溝部４ｉの形状によって絞り開口の形状の補正も可能である。
【００３５】  回転絞り羽根５は、駆動カム溝部５ｊにて、駆動アーム３の羽根駆動ピン３ｊと摺動可能に係合している。また、回転絞り羽根５に形成された回転中心孔部５ｅには、地板２に形成された回転中心部（回転中心軸部）としての回転中心ピン２ｅが回転可能に係合している。
【００３６】  駆動アーム３が所定の角度範囲で回動すると、回転絞り羽根５は、図５の５Ｂ、図７の７Ａ〜７Ｃに示すように、駆動カム溝部５ｊが羽根駆動ピン３ｊから駆動力を受け、回転中心孔部５ｅが係合した回転中心ピン２ｅを中心として光軸に交差する面（以下、光軸交差面という）内で回転（旋回）する。この回転の速さは、駆動カム溝部５ｊの形状によって調整可能である。また、駆動カム溝部５ｊの形状によって絞り開口の形状の補正も可能である。
【００３７】  図４の４Ａに示すリニア絞り羽根６は、長穴形状の駆動孔部６ｊにて、駆動アーム３の羽根駆動ピン３ｊと摺動可能に係合している。また、リニア絞り羽根６に光軸交差方向に延びるように形成されたガイド長孔部６ｃおよびガイド長孔部６ｄには、それぞれ地板２に形成されたガイド部（ガイド軸部）としてのガイドピン２ｃおよびガイドピン２ｄが摺動可能に係合している。
【００３８】  駆動アーム３が上述した所定の角度範囲で回動すると、リニア絞り羽根６は、図６の６Ａ〜６Ｃに示すように、駆動孔部６ｊにて羽根駆動ピン３ｊから駆動力を受け、ガイド長孔部６ｃ、６ｄがガイドピン２ｃ、２ｄによってガイドされながら、光軸交差方向に駆動される。
【００３９】
回転絞り羽根７は、駆動カム溝部７ｊにて、駆動アーム３の羽根駆動ピン３ｊと摺動可能に係合している。また、回転絞り羽根７に形成された回転中心孔部７ｄには、地板２に形成された回転中心部（回転中心軸部）としての回転中心ピン２ｄが回転可能に嵌合している。
【００４０】
駆動アーム３が所定の角度範囲で回動すると、回転絞り羽根７は、図５の５Ｃ、図７に示すように、駆動カム溝部７ｊが羽根駆動ピン３ｊから駆動力を受け、回転中心孔部７ｄが係合した回転中心ピン２ｄを中心として光軸交差面内で回転（旋回）する。この回転の速さは、駆動カム溝部７ｊの形状によって調整可能である。また、駆動カム溝部７ｊの形状によって絞り開口の形状の補正も可能である。
【００４１】  回転絞り羽根８は、駆動カム溝部８ｉにて、駆動アーム３の羽根駆動ピン３ｉと摺動可能に係合している。また、回転絞り羽根８に形成された回転中心孔部８ｅには、地板２に形成された回転中心部（回転中心軸部）としての回転中心ピン２ｅが回転可能に嵌合している。
【００４２】  駆動アーム３が所定の角度範囲で回動すると、回転絞り羽根８は、図５の５Ｄ、図７に示すように、駆動カム溝部８ｉが羽根駆動ピン３ｉから駆動力を受け、回転中心孔部８ｅが係合した回転中心ピン２ｅを中心として光軸交差面内で回転（旋回）する。この回転の速さは、駆動カム溝部８ｉの形状によって調整可能である。また、駆動カム溝部８ｉの形状によって絞り開口の形状の補正も可能である。
【００４３】
図４の４Ｂ、図６に示すリニア絞り羽根９は、長穴形状の駆動孔部９ｉにて、駆動アーム３の羽根駆動ピン３ｉと摺動可能に係合している。また、リニア絞り羽根９に光軸交差方向に延びるように形成されたガイド長孔部９ｅおよびガイド長孔部９ｆには、それぞれ地板２に形成されたガイド部（ガイド軸部）としてのガイドピン２ｅおよびガイドピン２ｆが摺動可能に係合している。
【００４４】  駆動アーム３が所定の角度範囲で回動すると、リニア絞り羽根９は、図６の６Ａ〜６Ｃに示すように、駆動孔部９ｉにて羽根駆動ピン３ｉから駆動力を受け、ガイド長孔部９ｅ、９ｆがガイドピン２ｅ、２ｆによってガイドされながら、光軸交差方向に駆動される。
【００４５】
絞り開口の幅方向左方側を形成する回転絞り羽根４および回転絞り羽根５は、駆動カム溝部４ｉ，５ｊにて、駆動アーム３の羽根駆動ピン３ｉ，３ｊとそれぞれ摺動可能に係合している。また、回転絞り羽根４，５に形成された回転中心孔部４ｄ，５ｅには、地板２に形成された回転中心部（回転中心軸部）としての回転中心ピン２ｄ，２ｅがそれぞれ回転可能に嵌合している。
【００４６】
絞り開口の幅方向右方側を形成する回転絞り羽根７および回転絞り羽根８は、駆動カム溝部７ｊ，８ｉにて、駆動アーム３の羽根駆動ピン３ｊ，３ｉとそれぞれ摺動可能に係合している。また、回転絞り羽根７，８に形成された回転中心孔部７ｄ，８ｅには、地板２に形成された回転中心部（回転中心軸部）としての回転中心ピン２ｄ，２ｅがそれぞれ回転可能に嵌合している。
【００４７】
駆動アーム３が所定の角度範囲で回動すると、回転絞り羽根７，８はそれぞれ、図７の７Ａ〜７Ｃに示すように、駆動カム溝部７ｊ，８ｉが羽根駆動ピン３ｊ，３ｉから駆動力を受け、回転中心孔部７ｄ，８ｅが嵌合した回転中心ピン２ｄ，２ｅを中心として光軸交差面内で回転（旋回）する。この回転の速さは、駆動カム溝部７ｊ，８ｉの形状によって調整可能である。また、駆動カム溝部７ｊ，８ｉの形状によって絞り開口の形状の補正も可能である。そして、駆動アーム３の回動位置に対する回転絞り羽根４，５，７，８の回転位置を、それぞれに形成された駆動カム溝部４ｉ，５ｊ，７ｊ，８ｉの形状で調整することができる。
【００４８】  つまり、絞り開口の光軸に点対称な位置の縁部を形成する回転絞り羽根４および回転絞り羽根７は、駆動カム溝部４ｉ，５ｊにて、駆動アーム３の羽根駆動ピン３ｉ，３ｊとそれぞれ摺動可能に係合している。また、回転絞り羽根４，７に形成された回転中心孔部４ｄ，７ｄには、地板２に形成された回転中心部（回転中心軸部）としての回転中心ピン２ｄが回転可能に嵌合している。そのため、回転絞り羽根４および回転絞り羽根７を用いて、絞り開口の中心に対して対向する位置から絞り開口の形状を調整しやすい。
【００４９】
さらに、絞り開口の光軸に点対称な位置の縁部を形成する回転絞り羽根５および回転絞り羽根８は、駆動カム溝部５ｊ，８ｉにて、駆動アーム３の羽根駆動ピン３ｊ，３ｉとそれぞれ摺動可能に係合している。また、回転絞り羽根５，８に形成された回転中心孔部５ｅ，８ｅには、地板２に形成された回転中心部（回転中心軸部）としての回転中心ピン２ｅが回転可能に嵌合している。そのため、回転絞り羽根５および回転絞り羽根８を用いて、絞り開口の中心に対して対向する位置から絞り開口の形状を調整しやすい。
【００５０】
図８の８Ａに絞り開口が閉じきりの状態、８Ｂは小絞り状態（絞り開口が略８角形）、８Ｃ、８Ｄに絞り開口が略８角形或いは略１０角形で大きさの異なる状態、８Ｅに絞り開口が略１０角形或いは略１２角形、８Ｆに開放状態（略１２角形）をそれぞれ示す。
【００５１】  これにより、図４、図５、図８に示すように、開放絞り（右下の図８の８Ｆ）から小絞り（上中の図８の８Ｂ）までの各絞り状態において、絞り羽根４〜９の開口形成用縁部４ｋ１，４ｋ２，５ｋ１，６ｋ１，６ｋ２，６ｋ３，６ｋ４，７ｋ１，８ｋ１，８ｋ２，９ｋ１，９ｋ２のうち４辺以上を用いることによって円形に近い多角形の絞り開口を形成することができる。絞り開口は、少なくとも開口形成用縁部６ｋ１，６ｋ２，９ｋ１，９ｋ２を用いて概形を定める。開口形成用縁部６ｋ１，６ｋ２，９ｋ１，９ｋ２の間に配置される開口形成用縁部４ｋ１，４ｋ２，５ｋ１，７ｋ１，８ｋ１，８ｋ２のいずれかを用いると形成する多角形の形状を、リニア絞り羽根６，９の移動方向に交差する方向について絞り開口を円形に近くすることができる。
【００５２】  ここで、図３の３Ｃや図８の８Ｂの小絞り形状時では、絞り羽根４〜９の開口形成縁部４ｋ１，９ｋ２，９ｋ１，８ｋ１，７ｋ１，６ｋ２，６ｋ１，５ｋ１で作られており、略８角形の絞り開口を形成する。図３の３Ｅの中間絞り形状は、絞り羽根４〜９の開口形成縁部４ｋ２，４ｋ１，９ｋ２，９ｋ１，８ｋ１，８ｋ２，７ｋ１，６ｋ２，６ｋ１，５ｋ１で作られており、略１０角形の絞り開口を形成する。さらに図３の３Ｆの開放側の絞り形状は、絞り羽根４〜９の開口形成縁部４ｋ２，４ｋ１，９ｋ２，９ｋ１，８ｋ１，８ｋ２，７ｋ１，６ｋ４，６ｋ２，６ｋ１，６ｋ３，５ｋ１で作られており、略１２角形の絞りを形成する。本実施例では、絞り開口の形状が略８角形から略１０角形、略１２角形となる変化を代表で示している。例えば、絞り開口の形状が、絞り羽根に開口形成縁部を２辺以上設け、駆動アームと各絞り羽根の配置によって各絞り羽根の開口形成縁部が一辺づつ増えるようにすると略４角形から略５角形、略６角形・・・略１８角形など連続、あるいは、段階的に角数（角部の数）を増やすことも可能である。
【００５３】  本実施例においては、回動絞り羽根４，５，７，８によって、絞り開口の形状が円形に近づいた後に、さらに、絞り開口を大きくすると、リニア絞り羽根６，９によって、絞り開口の形状がさらに円形に近づく構成であるため、大型化することなく絞り開口の大きさに合わせて、絞り開口の形状を所望の形状に変化させることができる。
【００５４】  絞り開口の形状は、円形又は円形に限りなく近づくことが好ましいが、辺や角の数が増えて多角形が円形に近づくように変化すればよい。本実施例では、絞り開口の形状は、多角形の対向配置される角が偶数個づつ増加するため、絞り開口の面積の増加に伴って、多角形の対称性が大きくくずれることなく円形に近づくことができる。つまり、絞り開口が、大きくなるに従って、開口形成用縁部６ｋ１，６ｋ２の間の頂点と開口形成用縁部９ｋ１，９ｋ２の間の頂点を結んだ対角線に対して対称な位置で、絞り開口の縁部が絞り羽根４〜９の複数の開口形成用縁部を繋ぐ屈曲点または変曲点を含むようになる。
【００５５】  このように、絞り羽根４〜９の開口形成部が複数の辺縁部を有することで、開口径が大きくなるにつれて、円形に近い角数の多い多角形に変化していく。また、リニア絞り羽根６，９及び回転絞り羽根４，５，７，８の少なくとも何れか一方の形状を適宜調整することにより、絞り開口を形成する縁部の少なくとも一部に円弧部を形成することが可能となる。絞り開口の少なくとも一部を形成する縁部を円弧の形状にすると、より円形に近い開口径を作ることが可能である。また、開口形成用縁部の間をＲでつなぐことで円形に近い絞り開口を形成することができる。回転絞り羽根４，５，７，８は、回動する中心と形状を調整することで開口形成用縁部４ｋ１，４ｋ２，５ｋ１，７ｋ１，８ｋ１，８ｋ２の配置を絞り開口の大きさごとに適した角度に設定することができる。また、絞り開口のうち複数の絞り羽根の重なる位置を多角形の角として、それぞれの角を結ぶ辺は、曲線であっても良く、絞り羽根４〜９の開口形成用縁部４ｋ１，４ｋ２，５ｋ１，６ｋ１，６ｋ２，６ｋ３，６ｋ４，７ｋ１，８ｋ１，８ｋ２，９ｋ１，９ｋ２が、開口２ｂに沿って屈曲した形状であれば、直線で各縁部の各辺を形成するより円形に近づけることができる。
【００５６】  また、前述したように、本実施例の絞り装置は、図３の３Ａに示すように、閉じ切りも可能である。第２の絞り羽根（回転羽根或いは回転絞り羽根）は、駆動ピンと係合する駆動カム溝部を調整することで、容易に閉じ切りを可能にできる。そのため、第１の絞り羽根（リニア絞り羽根）の可動を閉じ切りまで作動させずに、閉じ切りさせることも可能であるため、長手方向の小型化も可能である。
【００５７】  絞り羽根４〜９には、それぞれの摺動負荷を低減させるために、エンボスmを設けてもよい。
【００５８】  以上説明したように、本実施例の絞り装置は、各絞り羽根を、駆動リング等の絞り開口の周囲で回転する部品を用いずに、１つの駆動アーム３を駆動させることで移動または回転させるため、絞り装置を長手方向および幅方向において小型化できる。さらに、絞り羽根４，６，８のように屈曲点を持つ開口形成縁部を設けると、絞り羽根の枚数以上の円形に近い多角形の開口径を形成し、光軸方向での厚みを薄くすることができる。
【００５９】  絞り開口が大きくなるに従い、絞り開口を形成する辺が増える構成であるため、大きい絞り開口の際に、より円形に近い絞り開口の形成が可能である。
【００６０】  しかも、絞り開口から光通過方向に交差する方向に離れた位置に回転中心を持つ駆動レバーに設けた同一の伝達部で両絞り羽根を駆動することで、絞り開口の周囲で駆動リング等の部材を回転させる構成に比べて、装置を全体的に小型化することができる。また、ベース部材に設けられた第１の絞り羽根のガイド軸部と、ベース部材に設けられた第２の絞り羽根の回転中心軸部が、同一の軸を使用することができるため、装置を小型化し易く、該装置を搭載する光学機器の小型化に有効である。リニア絞り羽根と回動絞り羽根を用いることで、リニア絞り羽根のみで開口形状を形成する場合に比べて、所望の開口形状を形成しやすく、長手方向に移動するリニア絞り羽根のストロークを確保する必要がなくなり、リニア絞り羽根の可動範囲を少なくできるため、絞り装置の小型化（特に長手方向の小型化）が可能である。
【００６１】  なお、本実施例では、絞り羽根４〜９に孔部や溝部を形成し、駆動アーム３や地板２に形成されたピンをこれら孔部や溝部に係合（挿入）する場合について説明したが、絞り羽根にピンを設け、これを駆動アームや地板に形成された孔部や溝部に挿入する構成を採用することも可能である。（実施例２）  図９には、本発明の実施例２である絞り装置を分解して示している。本実施例の絞り装置は、図１に示した絞り装置に、絞り開口を通過する光量を減衰させるＮＤフィルタ１２を進退可能に設けたものである。図９において、図１に示した構成要素と同じ構成要素には、図１中の符号と同符号を付して説明に代える。
【００６２】  １３はＮＤフィルタ１２を保持するＮＤ保持板である。ＮＤ保持板１３は、カバー板１０を挟んで絞り羽根４〜９とは反対側に配置されている。１４はカバー板１０との間にＮＤ保持板１３を移動させる空間を形成する外カバー板であり、地板２に取り付けられる。
【００６３】  外カバー板１４には、ＮＤ駆動部１７が固定されたサブ地板１６が取り付けられる。ＮＤ駆動部１７は、例えば、不図示のロータマグネットと、該ロータマグネットと一体で回転する不図示の出力軸と、通電されてロータマグネットを回転させる磁力を発生する不図示のコイルにより構成される電磁駆動モータである。またステッピングモータであってもよい。
【００６４】  ＮＤ駆動部１７の出力軸には、ＮＤアーム１５が圧入されて取り付けられており（一体形成されていてもよい）、該ＮＤアーム１５の先端に駆動ピン１５ａを有している。駆動ピン１５ａは、外カバー板１４を貫通して、ＮＤ保持板１３と係合する。ＮＤ保持板１３は、地板２に形成されたガイドピン２ｃと回転中心ピン２ｄとによって光軸交差方向にガイドされる。ＮＤ駆動部１７によってＮＤアーム１５を回動させると、ＮＤ保持板１３が光軸交差方向に直進移動し、ＮＤフィルタ１２が絞り開口に対して進退する。
【００６５】  また、ＮＤ保持板１３はリニア絞り羽根６、９と同様に、揺動しながら光軸交差方向に駆動される構成でもよい。
【００６６】  このように、本発明は、ＮＤフィルタを備えた絞り装置にも適用することができる。ＮＤフィルタ１２で絞り開口を覆うことで、絞り開口をあまり小さく絞らなくても光量を減少させることができるので、いわゆる小絞り回折による画質の劣化を回避することができる。また、ゴーストやボケの形状も円形に近い形状とすることができるので、より自然な画質の画像を得ることができる。（実施例３）  実施例１及び２の絞り装置における筐体構造例について説明する。本実施例は、基本的に、実施例１の構造に後述する凸部２ｒ、１０ｒ等を追加した構成としている。実施例１又は２に示した構成要素と同じ構成要素には、図１中の符号と同符号を付して説明に代える。
【００６７】
図１０の１０Ａ、１０Ｂに示すように、絞り装置における筐体の一部を構成するケース部材１０は、地板２の一方面側にある軸（２ｃ，２ｄ，２ｅ，２ｆ）を係合させて、地板２との間で絞り羽根４〜９が収容される羽根収容空間（羽根室１００）を形成する。このケース部材１０は、地板２に形成された固定開口２ｂに対応する固定開口１０ｂを有する。すなわち、ケース部材１０が地板２に係合した状態においては、ケース部材１０の固定開口１０ｂが地板２の固定開口２ａに連通し、絞り装置の筐体を貫通する光通過経路を形成する。
【００６８】
そして、このような絞り装置の筐体内には、上記羽根室１００を複数の羽根室として区切る羽根室形成部材が設けられている。この羽根室形成部材は、例えば、本実施形態では、絞り羽根４〜９のうち絞り羽根６によって形成されている。すなわち、筐体の内部空間は、絞り羽根６が仕切り羽根として機能し、地板２側の羽根室１０１と、ケース部材側の羽根室１０２とに分割されている。絞り羽根６は、光量調節のための直進移動する羽根であって、光通過経路を形成する固定開口２ｂ（１０ｂ）の外周縁部、特に、直進移動方向と直交する方向における両側の縁部に対向する部分を実質的に覆うように形成し、これらの領域では少なくとも羽根室の仕切り部材として機能する。これにより、絞り羽根６を直進移動させても、固定開口２ｂ（１０ｂ）の外周縁部に対向する部分においては、絞り羽根６が実質的に存在する領域となるため、少なくともこの部分では、他の絞り羽根が移動する空間（羽根室）を区切ることが可能となる。これにより、複数の絞り羽根４〜９の移動空間となる羽根室を、絞り羽根６によって区切ることが可能となるため、別途、羽根室を区切るための部材や構造を省略できて、低コスト化、小型化に有利である。
【００６９】  そして、本絞り装置の外装を構成する筐体の内壁には、上述した羽根室を区切る絞り羽根６に接して、絞り羽根６の移動を補助する凸部が設けられている。例えば、本実施形態では、リニア絞り羽根６の移動方向に延在するレール状の凸部２ｒが、地板２に設けられている。複数の凸部２ｒは地板２上に離間して設けられており、二つのレール状の凸部２ｒが、開口部２ｂに対して駆動アーム３側である絞り羽根６の後端側とは反対側の絞り羽根６の先端側に設けられている。二つのレール状の凸部２ｒが、ガイドピン２ｃ〜ｆよりも開口部２ｂ側であって、地板２上の先端側に設けられていることによって、絞り羽根４、５が移動しない隙間のうち広いスペースを利用することができ、絞り羽根６の重心を支えるための複数の凸部を地板２上に効率良く配置することができる。また、回転中心ピン２ｄとアーム部材３の間の絞り羽根６の後端側にも、絞り羽根４，５の移動範囲の外側に点状の凸部２ｒが設けられている。絞り羽根６の先端側が凸部２ｒに支持されることによって、絞り羽根６上の地板２側に羽根室１００を区切って羽根室１０１が形成される。羽根室１０１は、絞り羽根４，５が移動可能となっており、絞り羽根４，５は、地板２の開口部２ｂの幅方向一方側（図１で左側）を絞る。
【００７０】  また、本絞り装置の外装を構成する筐体の地板２に対応するケース部材１０の内壁には、リニア絞り羽根６の移動方向に延在するレール状の凸部１０ｒが設けられている。複数の凸部１０ｒはケース部材１０上に設けられており、凸部２ｒと凸部１０ｒとの間を絞り羽根６が安定的に可動できる隙間を有して設けられている。二つのレール状の凸部１０ｒが、絞り羽根６の先端側に設けられ、また、回転中心ピン２ｅとアーム部材３の間の絞り羽根６の後端側にも、絞り羽根７〜９の移動範囲の外側に点状の凸部１０ｒが設けられている。二つのレール状の凸部１０ｒが、ガイドピン２ｃ〜ｆよりも開口部２ｂ側であって、ケース部材１０上の先端側に設けられていることによって、絞り羽根７〜９が移動しない隙間のうち広いスペースを利用することができ、絞り羽根６の重心を支えるための複数の凸部をケース部材１０上に効率良く配置することができる。絞り羽根６の先端側が凸部１０ｒに支持されることによって、絞り羽根６上のケース部材１０側に羽根室１００を区切って羽根室１０２が形成される。羽根室１０２は、絞り羽根７〜９が移動可能となっており、絞り羽根７〜９は、図１の開口部１０ｂの右側及び下側を絞る。
【００７１】  本実施例では、凸部２ｒ、１０ｒは、凸部の頂点に向かって丸みを帯びた形状であり、絞り羽根６と接触する場合の接触面積を少なくしている。絞り羽根６は、レール状の凸部２ｒ、または凸部１０ｒの頂点部分に対して摺動しながら、絞り羽根６の移動方向に向かって線接触している。このため、絞り羽根６は、凸部２ｒ及び凸部１０ｒに対して摩擦抵抗が実質的に低い状態で支持されている。つまり、絞り羽根６は、凸部２ｒまたは凸部１０ｒに補助されて、分割した羽根室内の絞り羽根４，５，７，８，９とともにアーム部材３によって安定的に移動する。加えて、３つの凸部２ｒ、または３つの凸部１０ｒは光通過経路を少なくとも含んだ三角形状となる配置で絞り羽根６を筐体から同じ高さで支持しているため絞り羽根６を安定して駆動できる。すなわち、絞り羽根６は、凸部２ｒまたは凸部１０ｒに支持されることで、光量調節装置が実装される撮像装置の使用姿勢に関係なく、羽根としての移動過程において安定駆動を実現できることから、羽根室１０１，１０２のスペースを安定的に確保できる。さらに、羽根室１０１で、隣接する複数の絞り羽根で開口部２ｂの左側を絞り、羽根室１０２で開口部２ｂの左側に対向する開口部２ｂの右側を絞る構造であるため、開口部２ｂの幅方向の両側を摺動性良く絞ることができる。絞り羽根６の開口部６ｂの周縁部は、絞り開口の径によって、開口部２ｂ及び開口部１０ｂの一部を覆う位置に移動する。
【００７２】
絞り羽根４〜９のうち絞り羽根６は、凸部２ｒおよび／または凸部１０ｒに支持されることによって、絞り羽根４〜９の移動する羽根室１００を、絞り羽根４，５が移動する羽根室１０１と、絞り羽根７〜９が移動する羽根室１０２に分割して仕切る羽根室形成部材としての役割を兼ねる。つまり、光量調整装置が実装される撮像装置の使用姿勢に関係なく、絞り羽根６によって２つの羽根室（各羽根の走行スペース）を安定的に確保することができるため、各羽根室における絞り羽根７〜９同士、あるいは絞り羽根４，５同士の摺動（摩擦ストレス）を低減することができる。したがって、上述した構成によって、光量調整装置における複数の羽根群の安定駆動を実現することができる。例えば、本実施形形態では、羽根室１００の仕切りとして機能する絞り羽根６の開口部６ｂの周縁部において、羽根室１０１で回動する絞り羽根４，５が絞り羽根６の移動方向と交差する方向の一方側（図１の左側）から開口部６ｂを絞り、羽根室１０２で回動する絞り羽根７、８が絞り羽根６の移動方向と交差する方向の他方側（図１の右側）から開口部６ｂを絞るように構成している。つまり、絞り羽根４，５と絞り羽根７，８とは、開口部６ｂを挟んで対向配置され、且つ双方の間に絞り羽根６を介在させている。すなわち、絞り羽根４，５の移動空間（羽根室１０１）と、絞り羽根７，８の移動空間（羽根室１０２）とが絞り羽根６によって相互に独立するように分割され、且つ開口部６ｂを挟んで対向する一対の羽根群同士の干渉を実質的に防いだ構造を実現している。これにより、絞り羽根６によって区切られた各羽根室１０１，１０２において、一対の羽根群の安定駆動を実現することができ、光量調節を高精度に行うことができる。このとき、実施例３でも、絞り羽根４〜８の配置によって、環状に重ね合わせて形成される多角形の絞り開口（光通過開口）を大きくすると多角形の辺の数が増える構成としている。絞り開口の形状を構成する多角形の辺の数が変わる場合には、絞り羽根同士の接触面積や羽根同士の角度が変化する。そのため、筐体の内壁に、羽根室形成部材に接して羽根室形成部材の移動を補助する凸部が設けられていることによって、絞り羽根同士の接触面積や羽根同士の角度が変化する場合も、摺動抵抗を低減して羽根群を安定駆動させることができる。
【００７３】  図１０の１０Ａ及び１０Ｂに示すように、リニア絞り羽根６は、光量調整装置の姿勢により、リニア絞り羽根６の移動方向に延在して地板２に設けられたレール状の凸部２ｒまたはケース部材１０に設けられたレール状の凸部１０ｒに接する。凸部２ｒ，１０ｒは、凸部の頂点に向かって丸みを帯びた形状で、凸部の頂点がリニア絞り羽根６に線接触するように形成されている。図１０の１０Ａは、地板２を下向きにした姿勢で撮影を行う際の羽根室１００の状態を表した図である。また、図１０の１０Ｂは、ケース部材１０を下向きにした姿勢で撮影を行う際の羽根室１００の状態を表した図である。
【００７４】  リニア絞り羽根６は、それぞれの姿勢において、複数の離れた位置に設けられた凸部２ｒまたは凸部１０ｒに移動を補助されて地板２の内部空間である羽根室１００を区切って複数の羽根室１０１，１０２を形成する羽根室形成部材として機能する。羽根室形成部材であるリニア絞り羽根６に絞り羽根４，５，７，８，９のいずれかの荷重を分散させることによって、特に、絞り羽根４，９等の地板２、ケース部材１０に接する絞り羽根にかかる荷重を低減し、複数の絞り羽根を安定駆動することができる。一対のリニア絞り羽根のうち面積の大きなリニア絞り羽根が、光軸方向において回動絞り羽根の間に介在し、且つ、ベース部材またはケース部材に設置されたレール状の凸部によって支持されることで、羽根室を区切る仕切板のように作用する。羽根室形成部材は、ベース部材とケース部材の間に形成される絞り羽根の羽根室を分割し、一方の羽根室に収容される絞り羽根の荷重が、他方の羽根室に収容される絞り羽根に負荷を与えない構造をとることができる。これにより、各絞り羽根とベース部材またはケース部材の摺動部に生じる摩擦負荷が軽減されるため、絞り羽根の摺動が円滑になり、姿勢差に依らず安定した光量調整を可能にする。また、絞り羽根が仕切板の役割を果たすため、装置を小型化し易く、該装置を搭載する撮像装置の小型化に有効であり、特に持ち運び可能な撮像装置に搭載した光量調節装置において、姿勢差により露光量がばらつく性能差が発生する可能性を低減することが可能となる。本実施例では、絞り羽根４，５と絞り羽根７，８は回転する絞り羽根を用いたが、絞り羽根６が仕切板の役割を果たすことを目的とする場合は、絞り羽根４，５と絞り羽根７，８に直進移動する絞り羽根を用いてもよく、また、直進移動する絞り羽根と回転する絞り羽根を組み合わせても良い。仕切板の役割を果たす絞り羽根も凸部を移動方向に沿って形成すれば、回転する絞り羽根を用いることもでき、複数の回転する絞り羽根のそれぞれを支持する凸部の高さを回転する絞り羽根ごとに設定し、一つの仕切板の役割を果たしても良い。
【００７５】
ここで、図１０の１０Ａ、１０Ｂに示すように、ケース部材１０は、地板２との間に絞り羽根４〜９が移動する羽根室１００を形成するように地板２に取り付けられる。図１に示すように、ケース部材１０は、地板２に形成された固定開口２ｂに対応する開口１０ｂを有する。ケース部材１０は、プレス加工や樹脂成形等により製作されている。図１１の１１Ａ〜１１Ｆに示すように、ケース部材１０の内壁（地板２側の面）には、絞り羽根４〜９との摺動抵抗を低減するための凸部１０ｋ，１０ｌ，１０ｍ，１０ｒが形成されている。また、地板２の内壁にも、絞り羽根４〜９との摺動抵抗を低減するための凸部２ｋ、２ｌ、２ｒが形成されている。なお、このようなケース部材１０は、プレス加工や樹脂成形等により製作されている。地板２とケース部材１０が、その内部空間に羽根室を形成する筐体として機能する。軸（２ｃ，２ｄ，２ｅ，２ｆ）に抜け止め用の部材を取り付ければ、ケース部材を省略することも可能である。また、筐体の側面に絞り羽根が移動可能な貫通孔を設けた場合には、貫通孔の上下部分の凸部を筐体の内壁に設けられた凸部とみなすことができる。
【００７６】  図１０の１０Ａには、リニア絞り羽根６が地板２に設けられた同じ高さの複数の凸部２ｒによって支持される場合を示しており、地板２に設けられた回転絞り羽根用の高さの低い凸部２ｋ，２ｌの地板２に対する位置関係を図１１の１１Ａに示す。図１１の１１Ｂは、凸部２ｋに回転絞り羽根４、凸部２ｌに回転絞り羽根５が接するように配置した図であり、回転絞り羽根４，５の上にリニア絞り羽根６を配置した図を図１１の１１Ｃに示す。
【００７７】
図１０の１０Ｂには、リニア絞り羽根６がケース部材１０に設けられた同じ高さの複数の凸部１０ｒによって支持される場合を示しており、ケース部材１０に設けられた回転絞り羽根用の高さの低い凸部１０ｋ，１０ｌ，１０ｍのケース部材１０に対する位置関係を図１１の１１Ｄに示す。図１１の１１Ｅは、凸部１０ｋにリニア絞り羽根９、凸部１０ｋ上のリニア絞り羽根９の上に回転絞り羽根８、凸部１０ｍ及び１０ｌ上に回転絞り羽根７が接するように配置した図であり、回転絞り羽根４，５の上にリニア絞り羽根６を配置した図を図１１の１１Ｆに示す。
【００７８】  図１０の１０Ａにおいて、リニア絞り羽根６を支持する凸部２ｒは、回転絞り羽根４，５を支持する凸部２ｋ，２ｌよりも羽根室内部に向かった凸量が大きい。これによって、地板２と凸部２ｒと、リニア絞り羽根６が形成する空間内を絞り羽根４，５が摺動性良く移動し、リニア絞り羽根６は、羽根室１００内での移動範囲内において同じ高さの複数の凸部２ｒによって姿勢が平行に維持される。このとき、３つの凸部２ｒが羽根室形成部材に接する三角形状の部分を結んだ範囲内に、移動中のリニア絞り羽根６の重心が常に位置している場合、筐体と羽根室形成部材との姿勢が平行に維持される。凸部２ｒと凸部１０ｒは、リニア絞り羽根６が羽根室１００を区切って移動する空間を形成するように、筐体の厚さ方向に離間して、地板２、ケース部材１０にそれぞれ設けられている。
【００７９】
図１０の１０Ｂにおいて、リニア絞り羽根６を支持する凸部１０ｒは、絞り羽根７〜９を支持する凸部１０ｋ、１０ｍよりも羽根室内部に向かった凸量が大きい。これによって、ケース部材１０と凸部１０ｒと、リニア絞り羽根６が形成する空間内を絞り羽根７〜９が摺動性良く移動し、リニア絞り羽根６は、羽根室１００内での移動範囲内において同じ高さの複数の凸部１０ｒによって姿勢が平行に維持される。このとき、３つの凸部１０ｒが羽根室形成部材に接する三角形状の部分を結んだ範囲内に、移動中のリニア絞り羽根６の重心が常に位置している場合、筐体と羽根室形成部材との姿勢が平行に維持される。
【００８０】
リニア絞り羽根６が、地板２に設けられた凸部２ｒによって支持されながら摺動する場合、絞り羽根４，５は、地板２側の羽根室１０１に存在し、絞り羽根７〜９は、ケース部材１０側の羽根室１０２に存在することになるため、リニア絞り羽根６を境にして羽根室１００は２つに分割される。リニア絞り羽根６が、ケース部材１０に設けられた凸部１０ｒにより支持されながら摺動を行う場合においても同様に、羽根室１００は２つに分割される。これにより、たとえば、地板２を下にした状態で撮影を行う場合でも、羽根室１０２に収容される絞り羽根７〜９の荷重は、リニア絞り羽根６および凸部２ｒにより支持されるので、羽根室１０１に収容された絞り羽根４，５は、羽根室１０２に収容された絞り羽根７〜９およびリニア絞り羽根６の荷重を受けることなく、円滑に摺動を行うことができる。また、光量調節装置を撮像装置に搭載した場合に、光軸方向に、地板２、絞り羽根４、絞り羽根５、凸部２ｒまたは凸部１０ｒに支持されたリニア絞り羽根６、絞り羽根７、絞り羽根８、リニア絞り羽根９、ケース部材１０が順番に配置される。つまり、一方の羽根室１０１に収容された絞り羽根４、５は、筐体の一方面である地板２と、凸部２ｒと、リニア絞り羽根６と、が形成する隙間である羽根室１０１内を回動させることで、羽根７〜９およびリニア絞り羽根６の荷重を受けることなく、円滑に回動することができる。この隙間である羽根室１０１は、二つのレール状の凸部２ｒが、地板２上の開口部２ｂに対して駆動アーム３側である絞り羽根６の後端側とは反対側の先端側に設けられていることによって、絞り羽根４、５が移動範囲の外のうち広いスペースを利用することができ、絞り羽根６の重心を支えるための複数の凸部を地板２上に効率良く配置することができる。他方の羽根室１０２に収容された絞り羽根７〜９は、筐体の一方面であるケース部材１０と、凸部１０ｒと、リニア絞り羽根６と、が形成する隙間である羽根室１０２内を回動させることで、羽根４、５およびリニア絞り羽根６の荷重を受けることなく、円滑に回動することができる。この隙間である羽根室１０２は、二つのレール状の凸部１０ｒが、ケース部材１０上の開口部１０ｂに対して駆動アーム３側である絞り羽根６の後端側とは反対側の先端側に設けられていることによって、絞り羽根７〜９、が移動範囲の外のうち広いスペースを利用することができ、絞り羽根６の重心を支えるための複数の凸部をケース部材１０上に効率良く配置することができる。上述した構成によって、回転する絞り羽根を用いて所望の開口形状を円滑に得ることができるようになる。
【００８１】  以上の構成を採用することで、絞り開口を形成する絞り羽根のうちの１枚を、絞り羽根同士の干渉を防止するスペーサもしくは、羽根同士の干渉を防止する仕切板として兼用することが可能となり、他の絞り羽根を安定的に駆動することが可能になる。また、凸部は、一体成形により筐体に設けることが好ましいが、インサート成形等により筐体に固定することもでき、筐体内に別の部材によって設けても良い。
【００８２】  本実施例において、羽根室形成部材として、略円形の開口部を設けたリニア絞り羽根６を用いたが、羽根室を区切って複数の羽根室を形成する部材であれば良く、筐体の内壁に、羽根室形成部材に接して移動を補助する凸部が設けられていればよい。
【００８３】  本実施例においては、直進移動する絞り羽根６等に対して回動する絞り羽根４等を組み合わせることにより、光軸方向から見て絞り開口の形状を多角形から円形に近づけるように構成されている。また、各々が対向配置されて接近又は退避するように直進移動する絞り羽根６等の交差領域に対してその両側から挟み込むように回動する複数の絞り羽根４等を配置している。これにより、回動する絞り羽根４等に関しては、絞り開口の形状を多角形から円形に素早く変化させることができる。ここで、本実施例では、このような所定の絞り開口を形成するために複数の絞り羽根４，６等を光軸方向に重ねて組み合わせている。このため、本実施例では、各絞り羽根４，６等の安定的な可動を実現すべく、直進移動する絞り羽根６等を地板２に設けた凸部２ｒ等によって支持し、所定の走行姿勢を維持した状態で案内する構成を採用している。これら凸部２ｒ等は、所定の絞り開口形状を形成するための各絞り羽根４，６等の配置レイアウト、すなわち、可動範囲に干渉しない位置に設けられている。詳細には、本実施例では、直進移動する絞り羽根６等と回動する絞り羽根４等とを１つの駆動伝達領域（地板２の一端側の端部領域）に集約し、ユニット全体として小型化を図っているため、地板２の他端側の端部領域に設けられている。すなわち、凸部２ｒ等は、地板２のうち上記１つの駆動伝達領域とは反対側の端部に設けられる。これにより、凸部２ｒ等は、回動する絞り羽根４等の可動を妨げることなく、直進移動する絞り羽根６等の可動範囲に設けることができる。これにより、直進移動する絞り羽根６等は、地板２の凸部２ｒ等に沿って安定的に直進移動することとなり、その結果、直進移動する絞り羽根６等と地板２、ケース部材１０等との間で羽根室１０１，１０２を形成する。これら各羽根室１０１，１０２内では、回動する羽根４等が安定的に可動することができる。したがって、本実施例のように、所定の絞り開口を形成するために複数の絞り羽根４，６等を光軸方向に重ねて組み合わせても、各絞り羽根４，６等は、それぞれが安定的に可動することができ、その結果、所定の絞り開口を安定的に形成することが可能となる。（実施例４）  図１２は、実施例１〜３にて説明した絞り装置を搭載した光学機器としてのビデオカメラ（撮像装置）の概略構成を示している。
【００８４】  ２１はビデオカメラのレンズ鏡筒部である。該レンズ鏡筒部２１内には、変倍レンズ２３、実施例１，２の絞り装置２０およびフォーカスレンズ２９を含む撮影光学系が収容されている。
【００８５】  ２５はＣＣＤセンサやＣＭＯＳセンサ等の光電変換素子により構成される撮像素子である。撮像素子２５は、撮影光学系により形成された被写体像を光電変換して電気信号を出力する。絞り装置２０の絞り開口を変化させたりＮＤフィルタを進退させたりすることで、撮像素子２５上に形成される被写体像の明るさ（つまりは撮像素子２５に到達する光量）を適正に設定することができる。
【００８６】  撮像素子２５から出力された電気信号は、画像処理回路２６にて種々の画像処理を受ける。これにより、映像信号（ビデオ出力）が生成される。
【００８７】  コントローラ２２は、不図示のズームスイッチがユーザにより操作されることに応じて、ズームモータ２４を制御し、変倍レンズ２３を移動させて変倍（ズーミング）を行わせる。また、コントローラ２２は、映像信号のコントラストを検出し、該コントラストに応じてフォーカスモータ２８を制御し、フォーカスレンズ２９を移動させてオートフォーカスを行う。
【００８８】  さらに、コントローラ２２は、映像信号のうち輝度情報に基づいて、絞り装置２０の絞り駆動部１（およびＮＤ駆動部）を制御し、光量を調節する。これにより、撮影時のボケやゴーストを自然な形状にすることができ、高画質の映像を記録することができる。また、レンズ鏡筒部に内蔵された絞り装置２０が小型であるので、レンズ鏡筒部およびビデオカメラ全体の小型化を図ることができる。
【００８９】  以上説明した各実施例は代表的な例にすぎず、本発明の実施に際しては、各実施例に対して種々の変形や変更が可能である。
【００９０】  本願は2013年3月8日提出の日本国特許出願2013-046830及び2013年5月7日提出の日本国特許出願2013-097973を基礎として優先権を主張するものであり、その記載内容の全てをここに援用する。
【符号の説明】
【００９１】１  絞り駆動部２  地板（筐体）３  駆動アーム３ｉ，３ｊ  駆動ピン６  リニア絞り羽根（羽根室形成部材）９  リニア絞り羽根１０  ケース部材（筐体）１０ｒ  凸部４，５，７，８  回転絞り羽根１２  ＮＤフィルタ
【図１】
0006018290.tif 000002
【図２】
0006018290.tif 000003
【図３】
0006018290.tif 000004
【図４】
0006018290.tif 000005
【図５】
0006018290.tif 000006
【図６】
0006018290.tif 000007
【図７】
0006018290.tif 000008
【図８】
0006018290.tif 000009
【図９】
0006018290.tif 000010
【図１０】
0006018290.tif 000011
【図１１】
0006018290.tif 000012
【図１２】
0006018290.tif 000013